(57)【特許請求の範囲】
【請求項１】
不透明とした容器体上部に液体吸上げ用ポンプを有し、かつ容器体胴部の下部内に、容器体内負圧化を上方摺動して解消する底板を設けたポンプ付き底上げ容器において、
上記容器体（１）を、透明でかつ胴部（２）の上部に着色部（７）を有し、かつ胴部（２）下端面を内向きフランジ（４）で形成した第１容器本体（１ａ）と、該第１容器本体（１ａ）の胴部（２）外面を覆う遮光層（８）とで形成し、又上記底板（９）は遮光可能な底板（９）としておき、
該底板（９）が着色部（７）よりも上方の上限近くまで移動したとき、上記内向きフランジ（４）のフランジ孔（４ａ）から胴部（２）内を覗くことで上記着色部（７）が見えるよう設けた
ことを特徴とするポンプ付き底上げ容器。
【請求項２】
不透明とした容器体上部に液体吸上げ用ポンプを有し、かつ容器体胴部の下部内に、容器体内負圧化を上方摺動して解消する底板を設けたポンプ付き底上げ容器において、
上記容器体（１）を、透明でかつ胴部（２）の上部に着色部（７）を有する下端面開口の第２容器本体（１ｂ）と、第２容器本体（１ｂ）下端へ嵌合させた内向きフランジ（４）外周から起立して第２容器本体胴部（２）外面へ嵌合させた遮光性外筒（２１）とで構成し、又、上記底板（９）は遮光可能に形成しておき、
該底板（９）が着色部（７）よりも上方の上限近くまで移動したとき、上記内向きフランジ（４）のフランジ孔（４ａ）から胴部（２）内を覗くことで上記着色部（７）が見えるよう設けた
ことを特徴とする、ポンプ付き底上げ容器。
【請求項３】
上記内向きフランジ（４）の内周部から支持筒（５）を起立させて、底板（９）が下限に位置する状態で該底板（９）下面を支持筒（５）で支持させた
ことを特徴とする請求項１又は２記載のポンプ付き底上げ容器。
【発明の詳細な説明】
【技術分野】
【０００１】
本発明は、ポンプ付き底上げ容器に関する。
【背景技術】
【０００２】
容器体上部に液体吸上げ用ポンプを有し、かつ容器体胴部の下部内に容器体内負圧化を上方摺動して解消する底板を有するポンプ付き底上げ容器において、紫外線等からの保護目的により容器体を不透明として収納液を保護することが行われており、このような容器にあっては、容器体内液体が減少して底板が容器体上部内へ上昇してもその底板の位置が不明確であり、よって上記ポンプを操作しても容器体内収納液が噴出できなくなって始めて収納液体が無くなったことに気付くことがあり、新規購入するまでの間、該製品の使用が出来なくなる不都合があった。
【０００３】
そのような欠点を除去するために上記底板が上昇すると、該底板に連結されている帯状表示板が容器体胴部と該胴部外面へ嵌合された外筒との間を下降して収納液体の減少を知ることが出来るよう設けたポンプ付き容器が知られている（特許文献１）。
【特許文献１】特開２００２−３６２６５９号公報
【発明の開示】
【発明が解決しようとする課題】
【０００４】
本発明容器は上記従来容器と同様に容器体内液体の減少を、該容器体内液体が無くなるに先だって知ることが可能に形成したものであり、上記従来容器よりも構造が簡易でかつ容器体内の液体減少を確実に知ることが出来るよう設けたものである。
【課題を解決するための手段】
【０００５】
第１の手段として不透明とした容器体上部に液体吸上げ用ポンプを有し、かつ容器体胴部の下部内に、容器体内負圧化を上方摺動して解消する底板を設けたポンプ付き底上げ容器において、
上記容器体１を、透明でかつ胴部２の上部に着色部７を有し、かつ胴部２下端面を内向きフランジ４で形成した第１容器本体１ａと、該第１容器本体１ａの胴部２外面を覆う遮光層８とで形成し、又上記底板９は遮光可能な底板９としておき、
該底板９が着色部７よりも上方の上限近くまで移動したとき、上記内向きフランジ４のフランジ孔４a から胴部２内を覗くことで上記着色部７が見えるよう設けた。
【０００６】
第２の手段として、不透明とした容器体上部に液体吸上げ用ポンプを有し、かつ容器体胴部の下部内に、容器体内負圧化を上方摺動して解消する底板を設けたポンプ付き底上げ容器において、
上記容器体１を、透明でかつ胴部２の上部に着色部７を有する下端面開口の第２容器本体１ｂと、第２容器本体１ｂ下端へ嵌合させた内向きフランジ４外周から起立して第２容器本体胴部２外面へ嵌合させた遮光性外筒21とで構成し、又、上記底板９は遮光可能に形成しておき、
該底板９が着色部７よりも上方の上限近くまで移動したとき、上記内向きフランジ４のフランジ孔４a から胴部２内を覗くことで上記着色部７が見えるよう設けた。
【０００７】
第３の手段として、上記第１又は第２の手段を有すると共に上記内向きフランジ４の内周部から支持筒５を起立させて、底板９が下限に位置する状態で該底板９下面を支持筒５で支持させた。
【発明の効果】
【０００８】
請求項１記載のようにすることで、容器体上部には液体吸上げ用ポンプが装着され、又容器体胴部外面へは遮光層が設けてあることで容器体内に光が入らず、暗くなる筈であるが、容器体下端のフランジ孔から光が入ることで底板下方の胴部内を明るくすることが出来、よって胴部上部の着色部の有無を容易に見分けることが出来て収納液体残量が少なくなったことを、或いは液体残量が未だ充分残っていることを容易に知ることが出来る。
【０００９】
請求項２の場合も液体残量の有無を容易に知ることが出来る。
【００１０】
請求項３のようにすることで、底板を定位置において確実に保持することが出来る。
【発明を実施するための最良の形態】
【００１１】
以下図面について説明する。まず図１から図４が示す第１実施形態について説明すると、１は容器体で、該容器体は、胴部２上端から肩部３を介して口頸部を起立する透明な第１容器本体１a と、その胴部下端へ嵌合させた内向きフランジ４とを有する。内向きフランジはその内周から底板支持筒５を起立し、該支持筒の下半内面へは複数の支持板６を等間隔に複数縦設している。該内向きフランジ４は透明、不透明いずれでもよい。第１容器本体１a 胴部の上部へは、図４が示すように着色部７を付設している。該着色部は着色された帯状シートを胴部外面へ巻付け付着させて形成してもよく、又胴部外面へ印刷等して形成してもよい。
【００１２】
又胴部２の外面へは遮光層８を付着させる。該遮光層８は遮光性のシートを巻付けて付着するほか、蒸着、インモールドフィルム、転写、シュリンク包装等して形成することが出来る。      
【００１３】
上記第１容器本体胴部２の下部内へは容器体内負圧化で上方摺動する底板９を嵌合させている。図示例でその底板は下底板９a と上底板９b とを嵌合させて形成しており、その両底板は中央部を下方へ容器状に低下させ、該低下部上端外周の外向きフランジ状壁外周から短筒部を垂下し、かつそれ等短筒部下端に胴部内壁面へ気密に接して摺動するシール壁部９c を付設している。それ等両底板のいずれか一方は遮光性底板としておく。第１容器本体１a の上端部へは、容器体内液体吸上げ用のポンプ11を装着させている。該ポンプは図示例に限らず、第１容器本体１a 内へ垂設した吸込み弁12付きシリンダ13から、上方付勢されて上下動自在に嵌合された押下げヘッド14を有し、該押下げヘッドから垂設したステム嵌合筒15から、下端部に吐出弁付きのピストン16を有するステム17を垂下し、そのピストンをシリンダ13内へ嵌合させ、上記押下げヘッドの上下動で、容器体内液体をシリンダ13内へ、又該シリンダ内液体を吐出弁およびステム17、ステム嵌合筒15内を通って押下げヘッド14前方へ突出するノズル18から噴出可能であれば、どのようなものでもよい。19は容器体口頸部外面へ螺合させた装着筒で、螺筒下端から外向きフランジ状に突出させた覆合板20で容器体肩部３上面を覆合させて、その肩部３および口頸部を通って容器体内へ光が入り、収納液体に悪影響が生じないよう設けている。好ましくは該装着筒も遮光性とすることが望ましい。
【００１４】
上記構成において、予め容器体内へ噴出用液体を収納させておき、押下げヘッド14を上下動させることで図２が示すように、収納液体が無くなると、底板９は上限まで上昇してその底板外周下端は着色部７上方まで移動する。よってこのとき内向きフランジ４のフランジ孔４a から容器体内を覗くことで透明な第１容器体内より着色部７を見ることが出来、よって容器体内液体がなくなったことを知ることが出来る。従って収納液体残量が多少残る状態で着色部７の下部が見えるようにしておくことで、収納液体が無くなる事を予知することが出来、次回使用の製品を用意することが出来るものである。
【００１５】
図５と図６とは第２実施形態を示す。既述第１実施形態と同一部分については同一符号を付することで説明を省略し、相違部分についてだけ説明すると、容器体１は、下端面開口の透明な第２容器本体１b と、該第２容器本体の上部外方へ設けた着色部７と、第２容器本体下端へ嵌合させた内向きフランジ４外周から遮光性外筒21を起立し、該外筒を上記第２容器本体外面へ嵌合させておく。尚図示のように第２容器本体の肩部外周からは外向きフランジ２a を突出させておき、胴部外面へ外筒21を嵌合させたとき、外筒上端面はその外向きフランジ２a 下面へ接するよう設けるとよい。該第２実施形態にあっては覆合板20外周から上記遮光性外筒21の上部外面へ嵌合させて覆合筒20a を垂下させている。
【００１６】
該第２実施形態にあっても、図６が示すように、収納液体が無くなって底板９が上限まで上昇したとき、その底板のシール壁部９c 下端よりも下方に着色部７が位置し、収納液体残量が少なくなった状態でフランジ孔４a から胴部内を覗くことで、着色部の下方一部を見ることが出来、よって収納液体が無くなることを予知できるよう設けておく。尚フランジ孔４a はポンプ操作で容器体内液体を噴出するまでの間、剥離可能にシール薄片等で閉塞しておき、容器体下部内へ埃等が入らないようにしておくことが望ましい。
【図面の簡単な説明】
【００１７】
【図１】本発明容器の半断面図である。
【図２】図１容器体内液体が無くなった状態で示す半断面図である。
【図３】図１容器の底面図である。
【図４】図１容器要部の拡大断面図である。
【図５】第２実施形態で示す容器の半断面図である。
【図６】図５容器内液体がなくなった状態で示す半断面図である。
【符号の説明】
【００１８】
１    容器体              １a   第１容器本体
１b   第２容器本体        ２    胴部
３    肩部                ４    内向きフランジ
７    着色部              ８    遮光層
９    底板                11    ポンプ              
19    装着筒              21    遮光性外筒
【図１】
0004711292.tif 000002
【図２】
0004711292.tif 000003
【図３】
0004711292.tif 000004
【図４】
0004711292.tif 000005
【図５】
0004711292.tif 000006
【図６】
0004711292.tif 000007